(57)【特許請求の範囲】
【請求項１】
データベース作成画面を有するデータベース作成ソフトが記録された記録手段と、
前記データベース作成画面を表示させる表示手段と、
前記表示手段に表示されるデータベース作成画面の操作を行う画面操作手段と、
前記データベース作成ソフトにより動作制御されて、前記データベース作成画面を前記表示手段へ表示させる演算制御手段と、を備えると共に、
前記データベース作成画面は、作成されるデータ入力部を表示させる画面作成エリアと、前記データ入力部を作成するのに用いる複数のコントロールのアイコン及び前記画面作成エリアに作成されるデータ入力部のコントロールの設定内容の確認・設定し直しに用いるコントロール一括設定ボタンが設けられたコントロールアイコンバーと、前記データ入力部の複数の入力条件設定部を表示させる入力条件設定用表示エリアを備え、
前記演算制御手段は、前記コントロールアイコンバーを前記データベース作成画面の上縁部に左右に向けて左右両端まで表示させると共に、前記画面作成エリアと前記入力条件設定部を前記コントロールアイコンバーの下方に位置させて前記データベース作成画面に左右に並設表示させ、且つ、前記画面作成エリアと前記入力条件設定部を前記コントロールアイコンバーの下縁から前記データベース作成画面の下縁部近傍まで表示させ、前記複数のコントロールのアイコンの一つが前記画面作成エリアに前記画面操作手段によりドラッグアンドドロップ操作されたとき、前記コントロールによる前記データ入力部を前記画面作成エリアに作成するデータベース作成管理システムであって、
前記演算制御手段は、前記複数のコントロールのアイコンの一つが前記画面作成エリアに前記画面操作手段によりドラッグアンドドロップ操作されたとき、前記データ入力部を前記画面作成エリアに作成すると共に、この作成される前記データ入力部の入力条件を設定させる前記入力条件設定部として、少なくとも前記データ入力部の項目名称の入力部と、該項目名称を前記データ入力部のラベルとして設定するチェックボックスと、前記データ入力部に必ず文字やデータを入力させるか否かを設定する必須チェックボックスと、前記データ入力部に入力される文字やデータの重複登録ができないようにするか否かを設定する一意チェックボックスを前記入力条件設定用表示エリアに表示させることを特徴とするデータベース作成管理システム。
【請求項２】
請求項１に記載のデータベース作成管理システムにおいて、前記演算制御手段は、前記データ入力部に入力される文字やデータを検索に利用するか否かを設定する検索対象チェックボックスを前記入力条件設定部として前記入力条件設定用表示エリアに表示させると共に、前記コントロール一括設定ボタンが操作されたとき、少なくともコントロールの項目名称、必須、一意、検索対象、削除の項目を有する設定内容、及び前記設定内容の変更操作のためのチェックボックスを表示させて、前記項目名称に対する設定内容の確認および設定内容の変更操作を可能とすることを特徴とするデータベース作成管理システム。
【請求項３】
請求項２に記載のデータベース作成管理システムにおいて、前記演算制御手段は、一覧でも表示順を設定する表示順入力部と、表示アラインを設定する左寄せアイコン，中央寄せアイコン，右寄せアイコンを前記入力条件設定部として前記入力条件設定用表示エリアに表示させると共に、前記設定内容に更に表示ラインを表示させることを特徴とするデータベース作成管理システム。
【請求項４】
請求項３に記載のデータベース作成管理システムにおいて、前記複数のコントロールには、少なくともテキストボックス作成用コントロール、数値入力ボックス作成用コントロール、日付入力ボックス作成用コントロール、自動番号ボックス作成用コントロール、又はこれらのコントロールに加えてラジオボタン作成用コントロール、チェックボタン作成用コントロール、コンボボックス作成用コントロールが含まれ、前記設定内容には一覧での表示順、ラベル、Ｘ座標、Ｙ座標、が含まれることを特徴とするデータベース作成管理システム。
【請求項５】
請求項４に記載のデータベース作成管理システムにおいて、前記複数のコントロールには、ＵＲＬ入力ボックス作成用コントロール、又はＵＲＬ入力ボックス作成用コントロールおよびマスタ連係ボックス作成用コントロールが含まれることを特徴とするデータベース作成管理システム。
【請求項６】
請求項１〜５のいずれか一つに記載のデータベース作成管理システムにおいて、前記演算制御手段により前記データベース作成画面に作成されたデータ入力部を有するデータベースが前記記録手段に記録されることを特徴とするデータベース作成管理システム。
【請求項７】
請求項６に記載のデータベース作成管理システムにおいて、前記演算制御手段はデータベース構築ソフトによるデータ管理ソフトの構築及び構築されたデータ管理ソフトによりデータの管理に用いるサーバシステムであり、
前記表示手段は前記サーバシステムに通信手段を介して接続された端末の表示装置であり、前記画面操作手段は前記端末の画面操作手段であることを特徴とするデータベース作成管理システム。
【請求項８】
請求項７に記載のデータベース作成管理システムにおいて、前記通信手段はオンライン又はインターネットであり、前記端末はオンライン又はインターネットを介して前記サーバシステムに接続されている複数の端末であることを特徴とするデータベース作成管理システム。
【発明の詳細な説明】
【技術分野】
【０００１】
この発明は、データ入力部およびデータ入力部の入力条件の設定をさせてデータベースを構築するデータベース作成管理システムに関するものである。
【背景技術】
【０００２】
従来からＷｅｂ等の通信回線を利用したデータベースの開発システムが種々考えられている（例えば、特許文献１，２参照）。
【０００３】
一方、データベースの開発システムにおいてデータベースを構築する場合、必要な複数のテーブルを作成して、各テーブルの各項目の属性を設定すると共に、各テーブル間の関連付けをして、関連付けしたテーブルの正規化を行った後に、テーブルに基づく入力部が設けられた入力フォームの設定を行うようにするのが一般的である。
【先行技術文献】
【特許文献】
【０００４】
【特許文献１】特開２０１０−１２８８７３号公報
【特許文献２】特開平９−２３７２７４号公報
【発明の概要】
【発明が解決しようとする課題】
【０００５】
このため、データベースの基本的な知識がある程度ある熟練者でないと、データベースを構築することが難しいものであった。
【０００６】
そこで、この発明は、データベースの基本的な知識がない場合でも、簡易にデータベースを構築できるデータベース作成管理システムを提供することを目的とするものである。
【課題を解決するための手段】
【０００７】
そこで、この発明は、データベース作成画面を有するデータベース作成ソフトが記録された記録手段と、前記データベース作成画面を表示させる表示手段と、前記表示手段に表示されるデータベース作成画面の操作を行う画面操作手段と、前記データベース作成ソフトにより動作制御されて、前記データベース作成画面を前記表示手段へ表示させる演算制御手段と、を備えると共に、前記データベース作成画面は、作成されるデータ入力部を表示させる画面作成エリアと、前記データ入力部を作成するのに用いる複数のコントロールのアイコン及び前記画面作成エリアに作成されるデータ入力部のコントロールの設定内容の確認・設定し直しに用いるコントロール一括設定ボタンが設けられたコントロールアイコンバーと、前記データ入力部の複数の入力条件設定部を表示させる入力条件設定用表示エリアを備え、前記演算制御手段は、前記コントロールアイコンバーを前記データベース作成画面の上縁部に左右に向けて左右両端まで表示させると共に、前記画面作成エリアと前記入力条件設定部を前記コントロールアイコンバーの下方に位置させて前記データベース作成画面に左右に並設表示させ、且つ、前記画面作成エリアと前記入力条件設定部を前記コントロールアイコンバーの下縁から前記データベース作成画面の下縁部近傍まで表示させ、前記複数のコントロールのアイコンの一つが前記画面作成エリアに前記画面操作手段によりドラッグアンドドロップ操作されたとき、前記コントロールによる前記データ入力部を前記画面作成エリアに作成するデータベース作成管理システムであって、前記演算制御手段は、前記複数のコントロールのアイコンの一つが前記画面作成エリアに前記画面操作手段によりドラッグアンドドロップ操作されたとき、前記データ入力部を前記画面作成エリアに作成すると共に、この作成される前記データ入力部の入力条件を設定させる前記入力条件設定部として、少なくとも前記データ入力部の項目名称の入力部と、該項目名称を前記データ入力部のラベルとして設定するチェックボックスと、前記データ入力部に必ず文字やデータを入力させるか否かを設定する必須チェックボックスと、前記データ入力部に入力される文字やデータの重複登録ができないようにするか否かを設定する一意チェックボックスを前記入力条件設定用表示エリアに表示させることを特徴とする。
【発明の効果】
【０００８】
この構成によれば、データベースの基本的な知識がない場合でも、簡易にデータベースを構築できる。
【図面の簡単な説明】
【０００９】
【図１】この発明に係るデータベース作成管理システムの一例を示す説明図である。
【図２】図１に示した固定端末の制御回路図である。
【図３】図１に示した移動端末の制御回路図である。
【図４】図１のデータベース作成管理システムによる表示画面を示す説明図である。
【図５】図１のデータベース作成管理システムによる表示画面を示す説明図である。
【図６】図１のデータベース作成管理システムによる表示画面を示す説明図である。
【図７】図１のデータベース作成管理システムによる表示画面を示す説明図である。
【図８】図１のデータベース作成管理システムによる表示画面を示す説明図である。
【図９】図１のデータベース作成管理システムによる表示画面を示す説明図である。
【図１０】図１のデータベース作成管理システムによる表示画面を示す説明図である。
【図１１】図１のデータベース作成管理システムによる表示画面を示す説明図である。
【図１２】図１のデータベース作成管理システムによる表示画面を示す説明図である。
【図１３】図１のデータベース作成管理システムによる表示画面を示す説明図である。
【図１４】図１のデータベース作成管理システムによる表示画面を示す説明図である。
【図１５】図１のデータベース作成管理システムによる表示画面を示す説明図である。
【図１６】図１のデータベース作成管理システムによる表示画面を示す説明図である。
【図１７】図１のデータベース作成管理システムによる表示画面を示す説明図である。
【図１８】図１のデータベース作成管理システムによる表示画面を示す説明図である。
【図１９】図１のデータベース作成管理システムによる表示画面を示す説明図である。
【図２０】図１のデータベース作成管理システムによる表示画面を示す説明図である。
【図２１】図１のデータベース作成管理システムによる表示画面を示す説明図である。
【図２２】図１のデータベース作成管理システムによる表示画面を示す説明図である。
【図２３】図１のデータベース作成管理システムによる表示画面を示す説明図である。
【図２４】図１のデータベース作成管理システムによる表示画面を示す説明図である。
【図２５】図１のデータベース作成管理システムによる表示画面を示す説明図である。
【図２６】図１のデータベース作成管理システムによる表示画面を示す説明図である。
【図２７】図１のデータベース作成管理システムによる表示画面を示す説明図である。
【図２８】図１のデータベース作成管理システムによる表示画面を示す説明図である。
【図２９】図１のデータベース作成管理システムによる表示画面を示す説明図である。
【図３０】図１のデータベース作成管理システムによる表示画面を示す説明図である。
【図３１】図１のデータベース作成管理システムによる表示画面を示す説明図である。
【図３２】図１のデータベース作成管理システムによる表示画面を示す説明図である。
【図３３】図１のデータベース作成管理システムによる表示画面を示す説明図である。
【図３４】図１のデータベース作成管理システムによる表示画面を示す説明図である。
【図３５】図１のデータベース作成管理システムによる表示画面を示す説明図である。
【図３６】図１のデータベース作成管理システムによる表示画面を示す説明図である。
【図３７】図１のデータベース作成管理システムによる表示画面を示す説明図である。
【図３８】図１のデータベース作成管理システムによる表示画面を示す説明図である。
【図３９】図１のデータベース作成管理システムによる表示画面を示す説明図である。
【図４０】図１のデータベース作成管理システムによる表示画面を示す説明図である。
【図４１】図１のデータベース作成管理システムによる表示画面を示す説明図である。
【図４２】図１のデータベース作成管理システムによる表示画面を示す説明図である。
【図４３】図１のデータベース作成管理システムによる表示画面を示す説明図である。
【図４４】図１のデータベース作成管理システムによる表示画面を示す説明図である。
【図４５】図１のデータベース作成管理システムにおけるアクセス権管理画面の説明図である。
【発明を実施するための最良の形態】
【００１０】
以下、この発明の実施の形態を図面に基づいて説明する。
[構成]
(i).データベース作成管理システムの概略的な構成要素
この発明に係るデータベース作成管理システムは、図１に示したように、データベース用のＷｅｂサーバシステム１と、クライアント（利用者）側の固定端末（通信端末）Ａ，Ｂと、クライアント（利用者）側のモバイル等の移動端末（通信端末）Ｃを備えている。また、データベース作成管理システムは、オンライン用の回線２を介して固定端末Ａ，ＢをＷｅｂサーバシステム１に接続するルーターやゲートウエイ等の接続用通信機器３を備えている。また、固定端末Ｂや移動端末Ｃはインターネット２ａ及び接続用通信機器３を介してＷｅｂサーバシステム１に接続されている。
【００１１】
固定端末Ａ，Ｂは、図２に示したように、文字等の入力に用いるキーボード４と、画面操作に用いるマウス５と、キーボード（画面操作手段）４やマウス（画面操作手段）５等の入力操作手段による入力信号や操作信号が入力される演算制御回路（端末制御部）である演算制御部６と、である演算制御部６に接続されたメモリ（記憶部）７と、メモリ７に記憶された制御プログラムに基づいて画面表示をする液晶表示器等の表示装置（表示手段）８を備えている。
【００１２】
移動端末Ｃは、図３に示したように、演算制御回路（端末制御部）である演算制御部９と、である演算制御部９に接続されたメモリ（記憶部）１０と、メモリ１０に記憶された制御プログラムに基づいて画面表示をするタッチパネル式の液晶表示器等の表示装置（表示手段、画面操作手段）１１を備えている。
【００１３】
尚、固定端末Ｂは、インターネットワーク２ａを介してＷｅｂサーバシステム１に接続するようにしているので、ノートタイプのものであれば移動端末としても用いることができる。
(ii).Ｗｅｂサーバシステム１の概略的な構成要素
Ｗｅｂサーバシステム１は、ユーザー認証サーバ１２と、共通管理サーバ１３と、顧客領域サーバ１４と、システム領域サーバ１５を備えている。
（ユーザー認証サーバ１２）
このユーザー認証サーバ１２は、図示を省略した認証サーバ制御部（認証サーバ制御回路）や記憶部（ＲＡＭやＲＯＮ等のメモリ）、プログラムやデータ等の記録部（ハードディスクやシリコンディスク或いは光磁気記録装置）等を有する。そして、ユーザー認証サーバ１２は、ユーザー認証の実施に用いられ、顧客ＩＤ／ユーザーＩＤ／ＰＷ（パスワード）による認証等を行う。このユーザー認証サーバ１２は、図示を省略した管理サーバ制御部（管理サーバ制御回路）や記憶部（ＲＡＭやＲＯＭ等のメモリ）、プログラムやデータ等の記録部（ハードディスクやシリコンディスク或いは光磁気記録装置）等を有する。
（共通管理サーバ１３）
この共通管理サーバ１３は、図示を省略した管理サーバ制御部（演算制御回路）や記憶部（ＲＡＭやＲＯＭ等のメモリ）、プログラムやデータ等の記録部（ハードディスクやシリコンディスク或いは光磁気記録装置）等を有する。そして、この共通管理サーバ１３は、全顧客に対する共通機能を提供するもので、主に各種のデータベースのテンプレートを提供する。このテンプレートには、コントロールテンプレート、フォームテンプレート、スキンテンプレート等がある。
（顧客領域サーバ１４）
この顧客領域サーバ（データサーバ、データ格納部）１４は、図示を省略したデータサーバ制御部（演算制御回路）や記憶部（ＲＡＭやＲＯＮ等のメモリ）、プログラムやデータ等の記録部（ハードディスクやシリコンディスク或いは光磁気記録装置）等を有する。この顧客領域サーバ１４は、各顧客毎にＷｅｂＤＢ（ウエブデータベース）機能を提供するデータ格納部である。このＷｅｂＤＢ機能としては、ＷｅｂＤＢ管理機能、ＷｅｂＤＢ利用機能等がある。
（システム領域サーバ１５）
このシステム領域サーバ１５は、図示を省略したシステム制御部（演算制御回路）や記憶部（ＲＡＭやＲＯＮ等のメモリ）、プログラムやデータ等の記録部（ハードディスクやシリコンディスク或いは光磁気記録装置）等を有する。このシステム領域サーバ１５は、顧客の追加・削除機能を提供すると共に、各種ソース使用状況をログ出力する。
（利用ソフトの例）
尚、ユーザー認証サーバ１２，共通管理サーバ１３，顧客領域サーバ１４，システム領域サーバ１５等のプログラムやデータ等の記録部（図示せず）には、ＣｅｎｔＯＳ，Ａｐａｃｈｅ，ＭｙＳＱＬ，Ｒｕｂｙ等のソフトが記録されている。ＣｅｎｔＯＳは、Red Hat Enterprise Linux(以下、「ＲＨＥＬ」と呼ぶ)との完全互換を目指したフリーのLinuxディストリビューションのソフトである。ＡｐａｃｈｅはＷｅｂサーバソフトウエアである。ＭｙＳＱＬは、フリーのデータベースソフトである。Ｒｕｂｙは、Webアプリケーションシステム管理，テキスト処理等のプログラムを書くのに用いるソフトである。
(iii).Ｗｅｂサーバシステム１のデータベース作成のための概略構成及びアクセス手順
ユーザー認証サーバ１２は、固定端末Ａから接続用通信機器３を介してＷｅｂサーバシステム１にアクセスされたり、固定端末Ｂや移動端末Ｃからインターネット２ａ及び接続用通信機器３を介してＷｅｂサーバシステム１にアクセスされたりすると、図４に示したような初期の顧客認証画面２０を固定端末Ａ，Ｂの表示装置８や移動端末Ｃの表示装置１１に表示させる。
【００１４】
この顧客認証画面２０には、ユーザーＩＤを入力するＩＤ入力部（ＩＤ入力ボックス）２１と、ＰＷ（パスワード）を入力するＰＷ入力部（ＰＷ入力ボックス）２２とクリアボタン２３と、ログインボタン２４が表示される。
【００１５】
この顧客認証画面２０では、固定端末Ａ，Ｂのキーボード４を用いてＩＤ入力部２１に顧客ＩＤを入力できると共に、ＰＷ入力部２２に顧客のパスワードを入力できる。尚、移動端末Ｃでは、表示装置１１に表示される文字ボタン等をタッチすることで、顧客ＩＤや顧客のパスワードを入力できる。
【００１６】
また、クリアボタン２３やログインボタン２４は、固定端末Ａ，Ｂのマウス５により操作できる。尚、移動端末Ｃでは、表示装置１１に表示されるクリアボタン２３やログインボタン２４をタッチすることで操作できる。このマウス５によるボタン選択操作やタッチパネル式の表示装置１１のタッチによる選択操作は、以下単に選択操作またはボタン選択操作として説明する。
【００１７】
ユーザー認証サーバ１２は、図４の顧客認証画面２０において、ＩＤ入力部２１に顧客のＩＤが正しく入力されると共にＰＷ入力部２２に顧客のパスワードが正しく入力された状態で、ログインボタン２４が選択操作されるとユーザー認証サーバ１２の制御が顧客領域サーバ１４の制御に切り替えられる。この顧客領域サーバ１４は、ユーザー認証サーバ１２からの制御が切り替えられると、図５に示したＷｅｂＤＢ利用ボタン２５とＷｅｂＤＢ管理ボタン２６が表示された選択画面２７を表示させる。
【００１８】
そして、顧客領域サーバ１４の図示しない演算制御回路（制御部）は、ＷｅｂＤＢ利用ボタン２５が選択操作されると、顧客領域サーバ１４の図示しない記録領域を検索して、顧客の管理者以外の利用者がデータの入力を行う為のＷｅｂＤＢ（ウエブデータベース）を顧客領域サーバ１４の図示しない記録領域から呼び出して、ＷｅｂＤＢの入力選択画面(図示せず)に切り替える。
【００１９】
また、顧客領域サーバ１４の図示しない演算制御回路（制御部）は、選択画面２７をＷｅｂＤＢ管理ボタン２６が選択操作されると、顧客領域サーバ１４の図示しない記録領域を検索して、顧客の管理者が管理するデータベースの選択を行う図６のようなＷｅｂＤＢ（ウエブデータベース）の管理画面（一覧画面）２８に切り替える。
【００２０】
この管理画面２８には、ＤＢ管理用メニューバー２８ａが表示されると共に、選択リスト２８ｂが表示される。また、ＤＢ管理用メニューバー２８ａには、「ＷｅｂＤＢ」，「システム管理」，「ＷｅｂＤＢ利用」，「ログアウト」等の項目が表示される。選択リスト２８ｂには、画面タイトル，オーナ（管理者），バージョン，更新日時，画面内容，種別，公開（公開・非公開），変更，削除等の項目が表示される。
【００２１】
図６のＤＢ管理用メニューバー２８ａの「ＷｅｂＤＢ」を選択操作すると、「ＷｅｂＤＢ」のプルダウンメニューには図７に示したような「ＷｅｂＤＢ一覧」，「新規フォーム作成」，「画面アクセス制御設定」，「フォームテンプレート一覧」等の項目が表示される。尚、図７のフォームテンプレート一覧を選択すると、図示を省略したデータベースの各種のテンプレートのリストが共通管理サーバ１３から読み出されて表示される。この各種のテンプレートとしては、例えばコントロールテンプレート、フォームテンプレート、スキンテンプレート等の共通管理サーバ１３に記録されたテンプレートがある。
【００２２】
そして、データベースのデータ入力画面Ｇ１、例えば画面タイトルが図８に示したような「社有車マスタ」のデータ入力画面を作成したり、この「社有車マスタ」を利用して作成した画面タイトルが図９に示したような「社有車利用管理」のデータ入力画面Ｇ２を作成する場合を一例として、この発明ついて説明する。
【００２３】
先ず、図８に示した「社有車マスタ」のデータベースのデータ入力画面Ｇ１のデータベースの項目や、図９に示したような「社有車利用管理」のデータ入力画面Ｇ２等について説明する。
（「社有車マスタ」のデータ入力画面Ｇ１の入力項目等）
図８に示した「社有車マスタ」のデータベースのデータ入力画面Ｇ１には、データベースの画面タイトルとして社有車マスタが表示されていると共に、「駐車場番号，車両番号，ミッション，備品，使用開始日，備考，車名，アドレス，表示内容」等のデータ入力の項目が表示されている。
【００２４】
そして、駐車場番号の右にはテキストボックス（番号入力ボックス）ｄＢ１がデータ入力部として表示され、車両番号の右側には地域選択用コンボボックスｄＢ２，番号入力ボックスｄＢ２１，ｄＢ２２，ｄＢ２３がデータ入力部として表示されている。
【００２５】
また、ミッションの右側にはミッションの種類であるＡＴ選択用ラジオボタンＲＢ１，ＭＴ選択用ラジオボタンＲＢ２がデータ入力部として表示され，備品の右側には装備される備品チェック用のＥＴＣチェックボックスＣｈＢ１，ナビチェックボックスＣｈＢ２がデータ入力部として表示されている。
【００２６】
更に、使用開始日の右側には日付入力ボックスｄＢ３がデータ入力部として表示されていると共にカレンダアイコンＣＬが日付選択用に表示され、備考の右側には備考入力ボックスｄＢ４がデータ入力部として表示され、車名の右側には車名入力ボックスｄＢ５がデータ入力部として表示され、アドレスの右側にはアドレス入力ボックスｄＢ６がデータ入力部として表示され、表示内容の右側には内容入力ボックスｄＢ７がデータ入力部として表示されている。
【００２７】
また、データ入力画面Ｇ１の左下には「キャンセル」ボタンが表示され、データ入力画面Ｇ１の右下には次の入力画面を表示させる「次へ」ボタンが表示されている。
【００２８】
このデータ入力画面Ｇ１において、テキストボックス（番号入力ボックス）ｄＢ１，地域選択用コンボボックスｄＢ２，番号入力ボックスｄＢ２１，ｄＢ２２，ｄＢ２３，ＡＴ選択用ラジオボタンＲＢ１，ＭＴ選択用ラジオボタンＲＢ２，備品チェック用のＥＴＣチェックボックスＣｈＢ１，ナビチェックボックスＣｈＢ２，日付入力ボックスｄＢ３，備考入力ボックスｄＢ４，車名入力ボックスｄＢ５，アドレス入力ボックスｄＢ６，内容入力ボックスｄＢ７等は、データ入力部となる。
（「社有車利用管理」のデータ入力画面Ｇ２の入力項目等）
図９の「社有車利用管理」のデータ入力画面Ｇ２には、画面タイトルとして社有車利用管理」が表示されていると共に、「管理番号，社有車，代表利用者，利用開始日，利用終了日，利用目的，車両状態、備考」等の項目が表示される。この「社有車利用管理」のデータ入力画面Ｇ２の作成も「社有車マスタ」のデータ入力画面Ｇ１と同様にして作成されるので、データ入力画面Ｇ２の詳細な説明は省略する。このデータ入力画面Ｇ２でも、「管理番号，社有車，代表利用者，利用開始日，利用終了日，利用目的，車両状態、備考」等の項目の右側の入力ボックスやボタン等（符号省略）はデータ入力部となる。
【００２９】
第1の作成方法は、図８に示したような「社有車マスタ」のデータ入力画面や図９に示したような「社有車利用管理」のデータ入力画面のテンプレートが予めＷｅｂサーバシステム１側に容易されている場合には、「ＷｅｂＤＢ」のプルダウンメニューの「フォームテンプレート一覧」を選択してフォームテンプレート一覧を表示させ、この一覧から「社有車マスタ」又は「社有車利用管理」のテンプレートを選択する。そして、この選択したテンプレートを用いて「社有車マスタ」や「社有車利用管理」のデータ入力画面を作成する。
【００３０】
また、第2の作成方法は、図７の「新規フォームの作成」をクリックして選択操作する。この「新規フォームの作成」をクリックすると、図１０に示したような新規フォーム作成のためのフォーム情報入力画面２９が表示される。
【００３１】
このフォーム情報入力画面２９には、フォーム作成方法の項目に対応してラジオボタンである新規選択ボタン３０，ラジオボタンであるテンプレート利用ボタン３１，テンプレート選択ボックス３２，テンプレート選択用の選択ボタン３３，画面タイトル入力ボックス３４，画面内容入力ボックス３５，カテゴリ入力ボックス３６，キャンセルボタン３７，作成ボタン３８等が表示される。
【００３２】
固定端末Ａ，Ｂやではマウス５によるカーソル(図示せず)操作により、移動端末Ｃではタッチパネル式の表示装置１１のタッチにより、新規選択ボタン３０，テンプレート利用ボタン３１，テンプレート選択用の選択ボタン３３，キャンセルボタン３７，作成ボタン３８等のボタン操作を行うことができる。
【００３３】
そして、ラジオボタンであるテンプレート利用ボタン３１を選択操作して、テンプレート選択用の選択ボタン３３をクリック操作またはタッチ操作することにより、既に作成されているデータベースを雛形化したテンプレートのリストを表示させて、このリストからデータベースのテンプレートを選択して、テンプレート選択ボックス３２に表示させることができる。
【００３４】
また、マウス５によるカーソル(図示せず)やタッチパネル式の表示装置１１のタッチにより、画面タイトル入力ボックス３４，画面内容入力ボックス３５，カテゴリ入力ボックス３６等を選択すると、固定端末Ａ，Ｂではキーボード４により画面タイトル入力ボックス３４，画面内容入力ボックス３５，カテゴリ入力ボックス３６等に文字入力等を行うことができる。この入力は移動端末Ｃでも表示装置１１に表示される文字ボタン等をタッチ操作することで、実行できる。
【００３５】
そして、例えば図１１に示したように、画面タイトル入力ボックス３４には「社有車マスタ」というタイトルを入力でき、画面内容入力ボックス３５には「社有車マスタ」の内容が「社有車のマスタです」という画面内容を入力でき、カテゴリ入力ボックス３６には「社有車マスタ」が「マスタ」というカテゴリであることを入力できる。
(iv).Ｗｅｂサーバシステム１によるデータベース作成のための詳細構成
以下、固定端末Ａ，Ｂや移動端末Ｃによる入力操作は同様に実行できるので、固定端末Ａによる操作によりデータベースの新規のフォームを作成する場合について説明し、固定端末Ｂや移動端末Ｃによる操作については説明を省略する。この説明においては、会社で所有する車両の管理に用いるデータベース、即ち「社有車マスタ」を作成する場合をデータベース作成の一例として説明する。
【００３６】
上述したように、図７の「新規フォームの作成」をクリックして選択操作する。この「新規フォームの作成」をクリックして、図１０に示したような新規フォーム作成のためのフォーム情報入力画面２９が表示させる。
【００３７】
そして、このフォーム情報入力画面２９において、新規選択ボタン３０を選択操作すると、新規選択ボタン３０内に選択操作されたことを意味する黒丸３０ａが表示される。この状態で上述したようにして、例えば画面タイトル入力ボックス３４には「社有車マスタ」というタイトルを入力し、画面内容入力ボックス３５には「社有車マスタ」の内容が「社有車のマスタです」という画面内容を入力し、カテゴリ入力ボックス３６には「社有車マスタ」が「マスタ」というカテゴリであることを入力する。この入力後に、作成ボタン３８を選択操作する。
【００３８】
この操作により顧客領域サーバ１４の図示しない演算制御回路（制御部）は、共通管理サーバ１３を制御して、共通管理サーバ１３の図示しない演算制御回路（制御部）により図１２に示したデータベース作成画面（管理ソフト作成画像）３９を表示させる。
【００３９】
このデータベース作成画面３９は、顧客領域サーバ１４の図示しない演算制御回路（演算制御手段）により作成されるデータ入力部を表示させる画面作成エリア（入力フォーム表示エリア）４０と、画面作成エリア（入力フォーム表示エリア）４０にデータ入力部を作成表示させる画面作成操作表示エリア４１を有する。
この画面作成操作表示エリア４１は、画面作成エリア（入力フォーム表示エリア）４０のデータ入力部の作成に用いるコントロールアイコンバー４２と、  データ入力部の項目作成や配置、入力条件等その他の設定操作に用いる入力条件設定用表示エリア４３を有する。
このコントロールアイコンバー４２は図１２〜図１４から明らかなように、データベース作成画面３９の上縁部に左右に向けて左右両端まで延びるように表示（配置）されている。また、画面作成エリア４０および入力条件設定用表示エリア４３は、図１２〜図１４から明らかなように、コントロールアイコンバー４２の下方に配置されていると共に、左右に並設されていると共に、コントロールアイコンバー４２の下縁からデータベース作成画面３９の下縁部近傍まで延設されている。
【００４０】
また、コントロールアイコンバー４２には、「あいうえお」で示した一行のテキストボックス作成用コントロール（テキストボックス作成用アイコン）４７，「１２３４５」で示した数値入力ボックス作成用コントロール（数値入力ボックス作成用アイコン）４８，「2行のあいうえお」で示した数行のテキストボックス作成用コントロール（テキストボックス作成用アイコン）４９，「カレンダーアイコン」で示した日付入力ボックス作成用コントロール（日付入力ボックス作成用アイコン）５０が配置されている。
【００４１】
更に、コントロールアイコンバー４２には、「ＵＲＬ」で示したＵＲＬ入力ボックス作成用コントロール（ＵＲＬ入力ボックス作成用アイコン）５１，「直角に曲がった矢印が用いられたアイコン」で示したマスタ連係ボックス作成用コントロール（マスタ連係ボックス作成用アイコン）５２，「ａｕｔｏ」で示した自動番号ボックス作成用コントロール（自動番号ボックス作成用アイコン）５３，画面情報確認用の画面情報設定ボタン５４，「ギヤが表示されているアイコン」で示したコントロール一括設定ボタン５５等が配置されている。
【００４２】
尚、図示の便宜上、図１４以降では、ラジオボタン作成用コントロール４４，チェックボタン作成用コントロール４５，コンボボックス作成用コントロール４６，一行のテキストボックス作成用コントロール４７，数値入力ボックス作成用コントロール４８，数行のテキストボックス作成用コントロール４９，日付入力ボックス作成用コントロール５０，ＵＲＬ入力ボックス作成用コントロール５１，マスタ連係ボックス作成用コントロール５２，自動番号ボックス作成用コントロール５３等を、そのまま用いるか、又は説明の便宜のために単にコントロール４４〜５３等として用いる。また、コントロールアイコンバー４２のコントロール（アイコン）４４〜５３やボタンの符号は、図面に必要に応じて附して説明する。
・ゴミ箱用コントロール４２ａ
このゴミ箱用コントロール４２ａは、画面作成エリア４０に作成されたボタンや入力ボックスをマウスでドラックアンドドロップ操作によりゴミ箱用コントロール４２ａまで移動させることで、画面作成エリア４０に作成されたボタンや入力ボックスを削除するのに用いられる。
・ラジオボタン作成用コントロール４４
このラジオボタン作成用コントロール４４は、マウスでドラックアンドドロップ操作することにより画面作成エリア４０にラジオボタンを作成するのに用いられる。
・チェックボタン作成用コントロール４５
このチェックボタン作成用コントロール４５は、マウスでドラックアンドドロップ操作することにより画面作成エリア４０にチェックボタンを作成するのに用いられる。
・コンボボックス作成用コントロール４６
このコンボボックス作成用コントロール４６は、マウスでドラックアンドドロップ操作することにより画面作成エリア４０にコンボボックスを作成するのに用いられる。
・テキストボックス作成用コントロール４７
このテキストボックス作成用コントロール４７は、マウスでドラックアンドドロップ操作することにより画面作成エリア４０にテキスト入力ボックスを作成するのに用いられる。
・数値入力ボックス作成用コントロール４８
この数値入力ボックス作成用コントロール４８は、マウスでドラックアンドドロップ操作することにより画面作成エリア４０に数値入力ボックスを作成するのに用いられる。
・テキストボックス作成用コントロール４９
このテキストボックス作成用コントロール４９は、マウスでドラックアンドドロップ操作することにより画面作成エリア４０に長文のテキスト入力ボックスを作成するのに用いられる。
・日付入力ボックス作成用コントロール５０
この日付入力ボックス作成用コントロール５０は、マウスでドラックアンドドロップ操作することにより画面作成エリア４０に日付入力ボックスを作成するのに用いられる。
・ＵＲＬ入力ボックス作成用コントロール５１
このＵＲＬ入力ボックス作成用コントロール５１は、マウスでドラックアンドドロップ操作することにより画面作成エリア４０にＵＲＬ入力ボックスを作成するのに用いられる。
・マスタ連係ボックス作成用コントロール５２
このマスタ連係ボックス作成用コントロール５２は、マウスでドラックアンドドロップ操作することにより画面作成エリア４０に連係操作用ボックスを作成するのに用いられる。
・自動番号ボックス作成用コントロール５３
この自動番号ボックス作成用コントロール５３は、マウスでドラックアンドドロップ操作することにより画面作成エリア４０に自動番号入力ボックスを作成するのに用いられる。
・画面情報確認用の画面情報設定ボタン５４
この画面情報確認用の画面情報設定ボタン５４は、作成したデータベースの入力画面を表示させて、データベースの入力画面の確認をするために用いられる。
・コントロール一括設定ボタン５５
このコントロール一括設定ボタン５５は、作成したデータベースの項目のコントロール内容（例えば、必須の有無、一意の有無、一覧での表示順、検索対象の有無、表示アライン、ラベルの有無、Ｘ座標やＹ座標の位置等）を確認したり、設定し直したりするのに用いられる。
ｂ．入力条件設定用表示エリア４３
(b-1).基本的表示
図１２，図１３では、入力条件設定用表示エリア４３内になにも表示していない。
【００４３】
コントロールアイコンバー４２のコントロール４４〜５３を画面作成エリア（入力フォーム表示エリア）４０に固定端末Ａ，Ｂのマウス５や移動端末Ｃの表示装置１１のタッチパネルのタッチ移動操作等で画面作成エリア４０によりドラックアンドドロップ操作して、コントロール４４〜５３に対応するボックスやボタンを画面作成エリア４０に作成した場合、入力条件設定用表示エリア４３には、項目名称入力ボックス（入力条件設定部）５６およびラベル用チェックボックス（入力条件設定部）５７が操作部として表示されると共に、項目名称入力ボックス５６の他に、画面作成エリア４０に作成されるテキストボックスｄＢ１に必要な条件を入力するための条件設定部（操作部）が表示される。尚、ラベル用チェックボックス５７は、項目名称入力ボックス５６に入力された項目名称を、コントロール４４〜５３により画面作成エリア４０に作成されるボックスやボタンの項目名称とするか否かを設定するために用いられる。そして、ラベル用チェックボックス５７がチェック操作されたときに、項目名称入力ボックス５６に入力された項目名称がコントロール４４〜５３により画面作成エリア４０に作成されるボックスやボタンの左に、コントロール４４〜５３により画面作成エリア４０に作成されるボックスやボタンの項目名称として表示される。
【００４４】
例えば、コントロールアイコンバー４２のテキストボックス作成用コントロール４７を画面作成エリア（入力フォーム表示エリア）４０に固定端末Ａ，Ｂのマウス５や移動端末Ｃの表示装置１１のタッチパネルのタッチ移動操作等で画面作成エリア４０によりドラックアンドドロップ操作した場合、図１４に示したように画面作成エリア４０にテキストボックスｄＢ１が作成される。この画面作成エリア４０にテキストボックスｄＢ１を作成すると、このテキストボックスｄＢ１の項目名称を入力するための項目名称入力ボックス５６および項目名称入力ボックス５６に入力された項目名称をテキストボックスｄＢ１のラベルとするか否かを設定するラベル用チェックボックス５７が操作部として表示される。
【００４５】
そして、固定端末Ａ，Ｂのキーボード４や移動端末Ｃの表示装置１１のタッチパネルの操作により項目名称入力ボックス５６に項目名称を入力して、ラベル用チェックボックス５７をチェック操作してラベル用チェックボックス５７にチックマークを入れると、画面作成エリア４０のテキストボックスｄＢ１の左側に項目名称入力ボックス５６に入力された項目名称がテキストボックスｄＢ１の項目名称として表示される。
【００４６】
また、入力条件設定用表示エリア４３には、項目名称入力ボックス５６およびラベル用チェックボックス５７の他に、画面作成エリア４０に作成されるテキストボックスｄＢ１に必要な条件を入力するための条件設定部（操作部）も表示される。
【００４７】
即ち、図１４において入力条件設定用表示エリア４３には、データ入力部に必ず文字やデータを入力させるか否かを設定する必須チェックボックス（入力条件設定部）５８と、データ入力部に入力される文字やデータを重複登録をできないようにするか否かを設定する一意チェックボックス（入力条件設定部）５９と、データ入力部に入力される文字やデータを検索に利用するか否かを設定する検索対象チェックボックス（入力条件設定部）６０等の操作部が表示される。
【００４８】
更に、入力条件設定用表示エリア４３には、一覧でも表示順を設定する表示順入力部（表示順数字入力ボックス、入力条件設定部）６１と、表示アラインを設定する左寄せアイコン（入力条件設定部）６２，中央寄せアイコン（入力条件設定部）６３，右寄せアイコン（入力条件設定部）６４等の操作部が表示される。
【００４９】
また、入力条件設定用表示エリア４３には、データ入力部に入力させる内容の説明のためのヘルプ内容入力部６５と、初期値入力部６６と、接頭辞入力部６７と、接尾辞入力部６８と、データ入力部の入力文字数入力部６９と、データ入力部のX座標入力部７０およびY座標入力部７１と、項目名称入力部６０に入力されて画面作成エリア４０に作成されるラベルの項目名称のラベルX座標入力部７２およびラベルY座標入力部７３等の操作部が表示される。
【００５０】
図１４において入力条件設定用表示エリア４３の入力部等に付した符号は、他の図では必要に応じて付して説明する。
(b-2).入力条件設定用表示エリア４３への他の表示
・ラジオボタン作成用コントロール４４による選択内容操作の表示
コントロールアイコンバー４２のラジオボタン作成用コントロール４４を用いて画面作成エリア４０に図１９のようにラジオボタンを貼り付けた場合には、ラジオボタンで選択する内容を選択させる選択内容入力部７４を入力条件設定用表示エリア４３に操作部として表示させる。
・チェックボタン作成用コントロール４５による選択内容操作の表示
コントロールアイコンバー４２のチェックボタン作成用コントロール４５を用いて画面作成エリア４０に図２１のようにチェックボックスを貼り付けた場合には、チェックボックスで選択する内容を選択させる選択内容入力部７５を入力条件設定用表示エリア４３に操作部として表示させる。
・コンボボックス作成用コントロール４６による選択内容操作の表示
また、コントロールアイコンバー４２のコンボボックス作成用コントロール４６を用いて画面作成エリア４０に図１５のようにコンボボックスをデータ入力部として貼り付けた場合には、コンボボックスで選択させる内容を選択内容入力部７６を入力条件設定用表示エリア４３に操作部として表示させる。
・数値入力ボックス作成用コントロール４８による設定操作の表示
更に、コントロールアイコンバー４２の数値入力ボックス作成用コントロール４８を用いて画面作成エリア４０に数値入力ボックスを図１７のようにデータ入力部として貼り付けた場合には、数値入力ボックスに入力する数値の桁数を設定する桁数入力設定部７７と、数値の区切りをカンマ表示するか否かを設定するチェックボックス７８を入力条件設定用表示エリア４３に操作部として表示させる。
・日付入力ボックス作成用コントロール５０による設定操作の表示
また、コントロールアイコンバー４２の日付入力ボックス作成用コントロール５０を用いて画面作成エリア４０に日付入力ボックスを図２２のようにデータ入力部として貼り付けた場合には、日付入力ボックスに入力する日付の初期値の設定部７９や、日付表示スタイルを選択設定する選択部８０を入力条件設定用表示エリア４３に操作部として表示させる。
[作用]
次に、このような構成のデータベース作成管理システムによるデータベース作成および作成したデータベースの入力の一例を説明する。
（１）．データベースの作成
ユーザーが固定端末Ａ，Ｂや移動端末Ｃ等からオンライン用の回線２やインターネット２ａと接続用通信機器３を介してデータベース用のＷｅｂサーバシステム１にアクセスする。このアクセスは、固定端末Ａ，Ｂのキーボード４やマウス５又は移動端末Ｃの表示装置１１のタッチパネルを介して実行する。
【００５１】
このアクセスにより、データベース用のＷｅｂサーバシステム１のユーザー認証サーバ１２は、図４の顧客認証画面２０を接続用通信機器３およびオンライン用の回線２やインターネット２ａを介して固定端末Ａ，Ｂや移動端末Ｃに送信して、固定端末Ａ，Ｂの表示装置８や移動端末Ｃの表示装置１１に表示させる。以下、単に表示と省略してある場合には、Ｗｅｂサーバシステム１のユーザー認証サーバ１２，共通管理サーバ１３，顧客領域サーバ１４およびシステム領域サーバ１５等による固定端末Ａ，Ｂや移動端末Ｃ等への表示は単に表示を意味する。
【００５２】
そして、図４の顧客認証画面２０にはユーザー（顧客）のＩＤ入力部２１にとＰＷ（パスワード）入力部２２が表示されている。この状態においてユーザーは、固定端末Ａ，Ｂのキーボード４や移動端末Ｃの表示装置１１のタッチパネルを用いて、ＩＤ入力部２１に顧客ＩＤを入力すると共にＰＷ入力部２２に顧客のパスワードを入力する。
【００５３】
このＩＤ入力部２１に顧客ＩＤとＰＷ入力部２２に顧客のパスワードがＩＤ入力部２１とＰＷ入力部２２に正しく入力された状態で、ユーザーはログインボタン２４を固定端末Ａ，Ｂのマウス５や移動端末Ｃの表示装置１１のタッチパネルにより選択操作する。
【００５４】
この操作によりユーザー認証サーバ１２の制御が顧客領域サーバ１４の制御に切り替えられる。この顧客領域サーバ１４は、ユーザー認証サーバ１２からの制御が切り替えられると、図５に示したＷｅｂＤＢ利用ボタン２５とＷｅｂＤＢ管理ボタン２６が表示された選択画面２７を固定端末Ａ，Ｂの表示装置８や移動端末Ｃの表示装置１１に表示させる。
【００５５】
そして、顧客領域サーバ１４の図示しない演算制御回路（制御部）は、固定端末Ａ，Ｂのマウス５や移動端末Ｃの表示装置１１のタッチパネルにより選択画面  ２７のＷｅｂＤＢ管理ボタン２６が選択操作されると、顧客領域サーバ１４の図示しない記録領域を検索して、顧客の管理者が管理するデータベースの選択を行う図６のようなＷｅｂＤＢ（ウエブデータベース）の管理画面（一覧画面）２８を固定端末Ａ，Ｂの表示装置８や移動端末Ｃの表示装置１１に表示させる。
【００５６】
この管理画面２８には、ＤＢ管理用メニューバー２８ａが表示されると共に、選択リスト２８ｂが表示される。また、ＤＢ管理用メニューバー２８ａには、「ＷｅｂＤＢ」，「システム管理」，「ＷｅｂＤＢ利用」，「ログアウト」等の項目が表示される。選択リスト２８ｂには、画面タイトル，オーナ（管理者），バージョン，更新日時，画面内容，種別，公開（公開・非公開），変更，削除等の項目が表示される。
【００５７】
ユーザーは、固定端末Ａ，Ｂのマウス５や移動端末Ｃの表示装置１１のタッチパネルにより、図６のＤＢ管理用メニューバー２８ａの「ＷｅｂＤＢ」を選択操作すると、「ＷｅｂＤＢ」のプルダウンメニューには図７に示したような「ＷｅｂＤＢ一覧」，「新規フォーム作成」，「両画面アクセス制御設定」，「フォームテンプレート一覧」等の項目が表示される。
【００５８】
そして、データベースのデータ入力画面、例えば画面タイトルが図８に示したような「社有車マスタ」のデータ入力画面を作成する場合、固定端末Ａ，Ｂのマウス５や移動端末Ｃの表示装置１１のタッチパネルにより、図７の「新規フォームの作成」をクリックして選択操作する。尚、図８に示した「社有車マスタ」のデータベースには、駐車場番号，車両番号，ミッション，備品，使用開始日，備考，車名，アドレス，表示内容等のデータ入力の項目が設定されている。
【００５９】
この図８に示した「社有車マスタ」を作成する場合、図７の「新規フォームの作成」をクリックして、図１０に示したような新規フォーム作成のためのフォーム情報入力画面２９が表示させる。
【００６０】
このフォーム情報入力画面２９には、フォーム作成方法の項目に対応してラジオボタンである新規選択ボタン３０，ラジオボタンであるテンプレート利用ボタン３１，テンプレート選択ボックス３２，テンプレート選択用の選択ボタン３３，画面タイトル入力ボックス３４，画面内容入力ボックス３５，カテゴリ入力ボックス３６，キャンセルボタン３７，作成ボタン３８等が表示される。
【００６１】
ユーザーは、固定端末Ａ，Ｂのマウス５や移動端末Ｃの表示装置１１のタッチパネルにより、ラジオボタンであるテンプレート利用ボタン３１を選択操作することにより、既に作成されているデータベースを雛形化したテンプレートのリストを表示させて、このリストからデータベースのテンプレートを選択して、テンプレート選択ボックス３２に表示させることができる。
【００６２】
また、マウス５によるカーソル(図示せず)やタッチパネル式の表示装置１１のタッチにより、画面タイトル入力ボックス３４，画面内容入力ボックス３５，カテゴリ入力ボックス３６等を選択すると、固定端末Ａ，Ｂではキーボード４により画面タイトル入力ボックス３４，画面内容入力ボックス３５，カテゴリ入力ボックス３６等に文字入力等を行うことができる。この入力は移動端末Ｃでも表示装置１１に表示される文字ボタン等をタッチ操作することで、実行できる。
【００６３】
従って、ユーザーは、固定端末Ａ，Ｂのマウス５や移動端末Ｃの表示装置１１のタッチパネルにより、図１１に示した画面タイトル入力ボックス３４，画面内容入力ボックス３５，カテゴリ入力ボックス３６に移動して、固定端末Ａ，Ｂのキーボード４や移動端末Ｃの表示装置１１のタッチパネルにより内容を入力する。例えば、図１１に示したように、画面タイトル入力ボックス３４には「社有車マスタ」というタイトルを入力し、画面内容入力ボックス３５には「社有車マスタ」の内容を「社有車のマスタです」という画面内容を入力し、カテゴリ入力ボックス３６には「社有車マスタ」というカテゴリを入力する。この入力後に、図１１の画面の作成ボタン３８を選択操作する。
【００６４】
この選択操作により、固定端末Ａ，Ｂの表示装置８や移動端末Ｃの表示装置１１には、顧客領域サーバー１４により図１２に示したデータベース作成画面３９が表示される。この状態では、データベース作成画面３９の画面作成エリア４０や入力条件設定用表示エリア４３には何も表示されていない状態である。この状態から、図８に示した「社有車マスタ」の駐車場番号，車両番号，ミッション，備品，使用開始日，備考，車名，アドレス，表示内容等を作成する場合について、各項目ごとに順に説明する。
（駐車場番号）
コントロールアイコンバー４２の各種のアイコンを固定端末Ａ，Ｂのマウス５や移動端末Ｃの表示装置１１のタッチパネルの操作により画面作成エリア４０にドラッグアンドドロップすると、アイコンに対応するボックスやボタンが顧客領域サーバ１４により画面作成エリア４０に作成される。
【００６５】
従って、項目名称が駐車場番号に関するデータ入力部を作成する場合、先ずコントロールアイコンバー４２のテキストボックス作成用コントロール４５を図１３の矢印Ａ１で示したように画面作成エリア４０にドラッグアンドドロップする。これにより画面作成エリア４０にテキストボックスｄＢ１が作成される。
【００６６】
この操作に伴い、顧客領域サーバ１４は、図１４に示したような入力条件設定用表示エリア４３の表示を行わせる。この画面作成エリア４０にテキストボックスｄＢ１をデータ入力部として作成すると、このテキストボックスｄＢ１の項目名称を入力するための項目名称入力ボックス５６および項目名称入力ボックス５６に入力された項目名称をテキストボックスｄＢ１のラベルとするか否かを設定するラベル用チェックボックス５７が入力条件設定用表示エリア４３に操作部として表示される。以下、入力条件設定用表示エリア４３への表示制御は顧客領域サーバ１４により行われるが、顧客領域サーバ１４についての説明は省略する。
【００６７】
そして、固定端末Ａ，Ｂのキーボード４や移動端末Ｃの表示装置１１のタッチパネルの操作により項目名称入力ボックス５６に項目名称を例えば「駐車場番号」と入力して、ラベル用チェックボックス５７をチェック操作してラベル用チェックボックス５７にチックマークを入れると、画面作成エリア４０のテキストボックスｄＢ１の左側に項目名称入力ボックス５６に入力された項目名称「駐車場番号」がテキストボックスｄＢ１の項目名称として表示される。
（他の条件設定部）
また、入力条件設定用表示エリア４３には、項目名称入力ボックス５６およびラベル用チェックボックス５７の他に、画面作成エリア４０に作成されるテキストボックスｄＢ１に必要な条件を入力するための他の条件設定部（操作部）も表示される。
【００６８】
即ち、図１４において入力条件設定用表示エリア４３には、データ入力部に必ず文字やデータを入力させるか否かを設定する必須チェックボックス５８と、データ入力部に入力される文字やデータを重複登録をできないようにするか否かを設定する一意チェックボックス５９と、データ入力部に入力される文字やデータを検索に利用するか否かを設定する検索対象チェックボックス６０等の操作部が表示される。
【００６９】
更に、入力条件設定用表示エリア４３には、一覧でも表示順を設定する表示順入力部（表示順数字入力ボックス）６１と、表示アラインを設定する左寄せアイコン６２，中央寄せアイコン６３，右寄せアイコン６４等の操作部が表示される。
【００７０】
また、入力条件設定用表示エリア４３には、データ入力部に入力させる内容の説明のためのヘルプ内容入力部（入力条件設定部）６５と、初期値入力部（入力条件設定部）６６と、接頭辞入力部（入力条件設定部）６７と、接尾辞入力部（入力条件設定部）６８と、データ入力部の入力文字数入力部（入力条件設定部）６９と、データ入力部のX座標入力部（入力条件設定部）７０およびY座標入力部（入力条件設定部）７１と、項目名称入力部６０に入力されて画面作成エリア４０に作成されるラベルの項目名称「駐車場番号」のラベルX座標入力部（入力条件設定部）７２およびラベルY座標入力部（入力条件設定部）７３等の操作部が表示される。
【００７１】
尚、画面作成エリア４０に作成されるテキストボックスｄＢ１に必要な条件（一意、配置等）を入力するための他の条件設定部は、画面作成エリア４０に作成される他のボックスやボタンが作成される場合にも、他のボックスやボタンの（一意、配置等）等の条件設定のために入力条件設定用表示エリア４３に表示される。この他の条件設定部の設定操作内容はテキストボックスｄＢ１の場合と同様に行われるので、以下の説明では他のボックスやボタンの他の条件設定部の説明を省略する。
（車両番号）
次に、コントロールアイコンバー４２のコンボボックス作成用コントロール４６を画面作成エリア４０にドラッグアンドドロップして、画面作成エリア４０に図１５のように地域選択用コンボボックスｄＢ２をデータ入力部として貼り付けた場合には、項目名称入力ボックス５６に項目名称を例えば「車両番号＿県」と入力してラベル用チェックボックス５７にチックマークを入れると、画面作成エリア４０の地域選択用コンボボックスｄＢ２の左側に項目名称入力ボックス５６に入力された項目名称「車両番号＿県」が図１７に示したように地域選択用コンボボックスｄＢ２の項目名称として表示される。
【００７２】
この地域選択用コンボボックスｄＢ２で選択させる内容を選択内容入力部７６が入力条件設定用表示エリア４３に操作部として表示される。この選択内容入力部７６には、選択項目のリストとして「香川、愛媛、高知・・・」等の県名が入力されている。この地域選択用の県名は、コンボボックスｄＢ２の操作で選択できる。尚、図１６に示したように画面作成エリア４０に間違ったボックスＥを作成してしまった場合、このボックスＥをゴミ箱用コントロール４２ａにドラッグアンドドロップ操作することにより、ボックスＥを削除できる。
【００７３】
また、図１７に示したように、数値入力ボックス作成用コントロール４８を地域選択用コンボボックスｄＢ２の右側にドラッグアンドドロップして、番号入力ボックスｄＢ２１を作成すると共に、同様にして図１８に示したように番号入力ボックスｄＢ２１の右側に番号入力ボックスｄＢ２２を作成し、図１９に示したように番号入力ボックスｄＢ２１の右側に番号入力ボックスｄＢ２３を作成する。
（ミッション）
次に、図１９に示したように、ラジオボタン作成用コントロール４４を画面作成エリア４０にドラッグアンドドロップして、画面作成エリア４０にラジオボタン（図１９のＲＢ１、図２０のＲＢ１，ＲＢ２）を作成すると、図１９に示したような入力条件設定用表示エリア４３が表示される。この入力条件設定用表示エリア４３の項目名称入力ボックス５６に「ミッション」という項目名称を入力してラベル用チェックボックス５７にチェックマークを入れると、ラジオボタンの左側にラジオボタンの項目名称が「ミッション」として表示される。
【００７４】
また、コントロールアイコンバー４２のラジオボタン作成用コントロール４４を用いて画面作成エリア４０に図１９のようにラジオボタンを貼り付けると、ラジオボタンで選択する内容を選択させる選択内容入力部７４が入力条件設定用表示エリア４３に操作部として表示される。この選択内容入力部７４には、図１９に示したようにラジオボタンで選択させる選択内容がＡＴ（オートマチック車）、ＭＴ（マニュアル車）のリストが設定されている。
【００７５】
そして、ラジオボタンを作成した状態で選択内容入力部７４のＡＴを選択すると、図２０に示したようにＡＴ選択用ラジオボタンＲＢ１の右には選択内容の「ＡＴ」が表示され、作成されたラジオボタンがＡＴ選択用ラジオボタンＲＢ１となる。
【００７６】
また、ラジオボタン作成用コントロール４４を画面作成エリア４０にドラッグアンドドロップして、図２０のようにＡＴ選択用ラジオボタンＲＢ１の右側にラジオボタンを貼り付けて、選択内容入力部７４のＭＴを選択すると、ＡＴ選択用ラジオボタンＲＢ１の右側のラジオボタンがＭＴ選択用ラジオボタンＲＢ２となる。
（備品）
次に、図２１に示したように、チェックボタン作成用コントロール４５を画面作成エリア４０にドラッグアンドドロップして、画面作成エリア４０にチェックボックス（図２２のＣｈＢ１、ＣｈＢ２）を作成すると、図２１に示したような入力条件設定用表示エリア４３が表示される。この入力条件設定用表示エリア４３の項目名称入力ボックス５６に「備品」という項目名称を入力してラベル用チェックボックス５７にチェックマークを入れると、チェックボックスの左側にチェックボックスの項目名称が「備品」として表示される。
【００７７】
また、コントロールアイコンバー４２のチェックボタン作成用コントロール４５を用いて画面作成エリア４０に図２１のようにチェックボックスを貼り付けた場合には、ラジオボタンで選択する内容を選択させる選択内容入力部７５が入力条件設定用表示エリア４３に操作部として表示される。この選択内容入力部７５には、図２１に示したようにチェックボックスで選択させる選択内容がＥＴＣ、ナビのリストが設定されている。そして、チェックボックスを作成した状態で選択内容入力部７５のＥＴＣを選択すると、チェックボックスの右には選択内容の「ＥＴＣ」が表示され、作成されたチェックボックスがＥＴＣ選択用チェックボックスＣｈＢ１となる。また、次にＥＴＣ選択用チェックボックスＣｈＢ１の右側に他のチェックボックスを貼り付けて、選択内容入力部７５のナビを選択すると、ＥＴＣ選択用チェックボックスＣｈＢ１の右側のチェックボックスがナビ選択用チェックボックスＣｈＢ２となる。
（使用開始日）
また、コントロールアイコンバー４２の日付入力ボックス作成用コントロール５０を用いて画面作成エリア４０に日付入力ボックスｄＢ３を図２２のようにデータ入力部として貼り付けると、図２２に示したような入力条件設定用表示エリア４３が表示される。この入力条件設定用表示エリア４３の項目名称入力ボックス５６に「使用開始日」という項目名称を入力してラベル用チェックボックス５７にチェックマークを入れると、日付入力ボックスｄＢ３の左側に項目名称が「使用開始日」として表示されると共に、日付選択用のカレンダアイコンＣＬが表示される。
【００７８】
これに伴い、入力条件設定用表示エリア４３には、日付入力ボックスｄＢ３に入力する日付の初期値の設定部７９や、日付表示スタイルを選択設定する選択部８０を入力条件設定用表示エリア４３に操作部として表示される。
（備考）
次に、テキストボックス作成用コントロール４９を画面作成エリア４０にドラックアンドドロップ操作することにより、画面作成エリア４０に長文のテキスト入力ボックスを備考入力ボックスｄＢ４として作成すると、図２４に示したような入力条件設定用表示エリア４３が表示される。
【００７９】
この入力条件設定用表示エリア４３の項目名称入力ボックス５６に「備考」という項目名称を入力してラベル用チェックボックス５７にチェックマークを入れると、備考入力ボックスｄＢ４の左側に項目名称が「備考」として表示される。
（車名）
次に、図２５に示したようにコントロールアイコンバー４２のテキストボックス作成用コントロール４５を図２５の矢印Ａ２で示したように画面作成エリア４０にドラッグアンドドロップすると、画面作成エリア４０にテキストボックスが作成される。これに伴い、図２５に示したような入力条件設定用表示エリア４３が表示される。
【００８０】
この入力条件設定用表示エリア４３の項目名称入力ボックス５６に「車名」という項目名称を入力してラベル用チェックボックス５７にチェックマークを入れると、テキストボックスの左側に項目名称が「車名」として表示され、テキストボックスが車名入力ボックスｄＢ５となる。
【００８１】
そして、図２６のコントロール一括設定ボタン５５をクリックすると、「社有車マスタ」に作成した図２７に示したような項目名称、必須、一意、一覧での表示順、検索対象、表示ライン、ラベル、Ｘ座標、Ｙ座標、削除等の項目を有する設定内容が表示されて、項目名称に対する設定内容が一括して確認できる。この設定内容の項目を操作することで、設定内容を変更できる。この後、適用ボタン８１をクリックすることで、設定内容が確定する。
【００８２】
この「社有車マスタ」の画面情報を確認するには、図２８の画面情報確認用の画面情報設定ボタン５４をクリックする。これにより図２９に示した画面情報が表示される。この画面情報には、画面タイトル、画面内容、カテゴリ、適用公開ステータス、画面遷移パターン、登録メッセージ、オーナ、フォームテンプレート等が表示される。本実施例では、画面タイトルが「社有車マスタ」、画面内容が「社有車マスタです」、カテゴリが「マスタ」、適用公開ステータスが「未公開」、画面遷移パターンが「登録＞確認＞結果表示」、登録メッセージ、オーナが「管理者４」、フォームテンプレートが「テンプレート登録」として表示されている。尚、カテゴリを設定しておくと、ＷｅｂＤＢが増えたときに探しやすくなる。また、図３０に示したように登録メッセージにユーザーが利用する画面の遷移パターンを登録できる。例えば、入力数が多く、いちいち確認する必要がない場合、登録＞結果表示を選択する。
【００８３】
この内容で、よければ適用ボタン８１をクリックすることで、図３１に示した登録確認のボックス８２が表示され、「はい」を選択してクリックすると、「社有車マスタ」のＷｅｂＤＢが顧客領域サーバ（データ格納部）１４に登録（記録）される。この登録後にＤＢ管理用メニューバー２８ａのＷｅｂＤＢをクリックして、ＷｅｂＤＢのＷｅｂＤＢ一覧をクリックして登録されたデータベースの一覧を図３２のように表示させる。この図３２のデータベースの一覧には「社有車マスタ」があるので、「社有車マスタ」が登録されているのを確認できる。この登録は最初の登録であるので、Ｖｅｒ０．１となる。尚、図３２のデータベースの一覧の画面タイトルに表示された「社有車マスタ」の項目も、作成されているデータベースのマスタである。
【００８４】
この後、項目を追加したい場合、例えばアドレスや表示内容の追加をしたい場合、図３３に示したように、ＵＲＬ入力ボックス作成用コントロール５１を画面作成エリア４０にドラッグアンドドロップして、画面作成エリア４０にアドレス入力ボックスｄＢ６や表示内容の内容入力ボックスｄＢ７を作成して、登録する。
【００８５】
このような操作により、図３４に示したようなＷｅｂＤＢ一覧画面には管理者４の「社有車マスタ」のＶｅｒ０．２が作成されていることが確認できる。
（２）．「社有車マスタ」へのデータ入力
この「社有車マスタ」を利用する場合、ＤＢ管理用メニューバー２８ａのＷｅｂＤＢ利用をクリックして、図３５に示したＷｅｂＤＢ一覧画面を表示させ、「社有車マスタ」をクリックして選択する。この選択操作により図２３の画面タイトルが「社有車マスタ」の入力のための画面を表示させる。図２６３、初めてのデータ入力のための画面であるので、なにも登録されていない。この画面において、追加ボタンをクリックして、図３７のデータ入力画面を表示させる。
【００８６】
このデータ入力画面において、各項目名称「駐車場番号，車両番号，ミッション，備品，使用開始日，備考，車名，アドレス，表示内容」等のデータ入力部にキーボード４や表示装置１１のタッチパネルを利用してデータ入力を行った後、ＷｅｂＤＢデータ登録をクリックすることにより、図３８に示した「社有車マスタ」に入力したデータの確認画面に遷移する。この確認画面で入力データを確認した後、登録ボタンをクリックすることにより、「社有車マスタ」へのデータ入力及び登録が完了する。
（３）．「社有車マスタ」を利用した「社有車利用管理」のデータベース作成
上述したようにして作成した「社有車マスタ」のデータを他のデータベースで利用する場合、例えば「社有車マスタ」にリンクする図９に示した画面タイトルが「社有車利用管理」というデータベースを作成する場合、新規のフォームを作成するときと同様に、ＤＢ管理用メニューバー２８ａのＷｅｂＤＢをクリックして、図７のＷｅｂＤＢのプルダウンメニューから新規フォーム作成を選択してクリックする。この選択により、図１０に示したフォーム情報入力画面２９を表示させて、この新規なフォーム情報入力画面２９の画面タイトルに図３９に示したように例えば「社有車利用管理」を入力して作成をクリックし、図４０のデータベース作成画面３９を表示させる。
【００８７】
このデータベース作成画面３９において、コントロールアイコンバー４２の自動番号ボックス作成用コントロール５４を画面作成エリア４０にドラッグアンドドロップし、登録番号自動作成ボックス８３を画面作成エリア４０に作成させる。尚、この登録番号自動作成ボックス８３を画面作成エリア４０には、「社有車利用管理」のデータベースに登録するデータの番号の数値を採番される順に自動で登録される。
【００８８】
このデータベース作成画面３９の入力条件設定用表示エリア４３の項目名称入力ボックス５６に「自動番号１」という項目名称を入力すると、図４０に示したように画面作成エリア４０の登録番号自動作成ボックス８３内に「自動番号１」が表示される。
【００８９】
また、図４１に示したように項目名称入力ボックス５６に「管理番号」という項目名称を入力すると共に、ラベル用チェックボックス５７をチェックすると、画面作成エリア４０の登録番号自動作成ボックス８３の前に「管理番号」という項目名称入力ボックス５６の項目名称が表示される。
【００９０】
次に、図４２に示したように、マスタ連係ボックス作成用コントロール５２を画面作成エリア４０にドラッグアンドドロップして、登録番号自動作成ボックス８３の下に画面作成エリア４０に連係用ボックス８４を作成する。
【００９１】
そして、この連係用ボックス８４の項目名称を「連係元フォーム」とし、連係用ボックス８４の選択用のボタンをクリックすると、図４３に示した選択リスト８４ａが表示される。この選択リスト８４ａは、どの画面フォームの情報をマスタとして連係するかを設定するためのもので、先に作成されて登録されているマスタが表示される。尚、システムの機能として初めから予めマスタを用意しておいて選択リスト８４ａに表示させることもできるので、このマスタとして例えばされているユーザーマスタ、所属マスタ、役職マスタ等を用意しておいて選択リスト８４ａに表示させることもできる。また、図４３では、図４２の登録番号自動作成ボックス８３を図示の便宜上省略している。
【００９２】
この選択リスト８４ａから連係元フォームである「社有車マスタ」を選択して連係用ボックス８４内に入力し、「社有車利用管理」の連係元フォームを「社有車マスタ」に設定する。
【００９３】
同様にして、連係元フォームの連係用ボックス８４で選択されたマスタに関連する内容を設定するための連係用ボックス８５，８６，８７を画面作成エリア４０に作成する。
【００９４】
そして、連係用ボックス８５の項目名称を連係キー選択イメージに設定する共に連係用ボックス８５内に選択リスト８５ａから選択して駐車場番号−車名を入力する。尚、選択リスト８５ａは、一意項目をキーとして利用するもので、その表示方法を選択する。
【００９５】
また、連係用ボックス８６の項目名称を表示形式に設定すると共に連係用ボックス８６内に選択リスト８６ａから選択してキー：ラベルを入力する。尚、選択リスト８６ａは、画面に表示する際に、キー（連係キー選択イメージで指定した表示方法）をラベル、キーラベル、キーとするのかを設定するのに用いられる。
【００９６】
更に、連係用ボックス８７の項目名称をラベルに設定すると共に連係用ボックス８７内に選択リスト８７ａから車名を選択して入力する。この選択リスト８７ａには、社有車マスタの項目名称が表示される。尚、この設定は一例を示したもので、これに限定されるものではない。
【００９７】
このようにして連係設定を行った後、適用ボタンをクリックすることで、「社有車利用管理」のデータベースの連係設定が完了する。尚、更にマスタ連係ボックス作成用コントロール５３をドラッグアンドドロップすることにより追加の設定を行うこともできる。
【００９８】
また、このように「社有車マスタ」に連係させた「社有車利用管理」に、必要な項目を「社有車マスタ」の項目の作成と同様にして作成（詳細な説明は省略）することにより、図９に示した画面タイトルが「社有車利用管理」というデータベースを作成する。
（４）．データベースの公開利用
上述したようにして作成された「社有車マスタ」や「社有車利用管理」等のデータベースを「公開」に設定しておくと、図４４に示したような「社有車マスタ」や「社有車利用管理」の画面タイトルの項目が表示され、「社有車マスタ」や「社有車利用管理」の項目のデータベースを選択することで、選択した項目のデータベースの入力画面を表示させて、データを入力することができる。
（５）．データベースへのアクセス管理
上述した図６のＷｅｂＤＢ（ウエブデータベース）の管理画面（一覧画面）２８には、ＤＢ管理用メニューバー２８ａが表示されると共に、選択リスト２８ｂが表示される。また、ＤＢ管理用メニューバー２８ａには、「ＷｅｂＤＢ」，「システム管理」，「ＷｅｂＤＢ利用」，「ログアウト」等の項目が表示される。選択リスト２８ｂには、画面タイトル，オーナ（管理者），バージョン，更新日時，画面内容，種別，公開（公開・非公開），変更，削除等の項目が表示される。
【００９９】
この図６の「システム管理」をマウスによるクリック操作或いはタッチパネルの場合はタッチ操作で選択すると、「ユーザー一覧」，「新規ユーザー登録」，「グループメンテナンス」，「システム稼働設定」等の項目が表示される。また、図６のＤＢ管理用メニューバー２８ａの「ＷｅｂＤＢ」を選択操作すると、「ＷｅｂＤＢ」のプルダウンメニューには図７に示したような「ＷｅｂＤＢ一覧」，「新規フォーム作成」，「画面アクセス制御設定」，「フォームテンプレート一覧」等の項目が表示される。
【０１００】
この「画面アクセス制御設定」をマウスによるクリック操作或いはタッチパネルの場合はタッチ操作で選択すると、図４５に示したようなデータベースのアクセス管理画面２８ｃが表示される。このアクセス管理画面２８ｃの上縁部には、アクセス管理画面２８ｃの選択バーＢＳが設けられている。このアクセス管理画面２８ｃを開くことで、WebDBの一覧およびアクセス制御設定状況を表示できる。
【０１０１】
このアクセス管理画面２８ｃの選択バーＢＳには「画面／グループ」ｓ−１の項目と「設定変更部」ｓ−２が設けられている。また、アクセス管理画面２８ｃには、「画面／グループ」ｓ−１の項目の下方に位置させて作成された複数のデータベースのリストが同時に表示されている。このデータベースのリストは、データベースグループの名称データベースの名称）がフォルダのアイコンと共に表示されている。
【０１０２】
また、「設定変更部」ｓ−２は、データベースのリストの権限管理部Ｍ１と、グループ管理部ＧＭを有する。この権限管理部Ｍ１は、「照会」，「変更」，「追加」，「削除」等の設定変更の項目を有する。また、グループ管理部ＧＭは、「グループ削除」，「グループ追加」の設定変更の項目を有する。
【０１０３】
ここで、データベースへの利用者のアクセス制限は、例えば「社有車利用管理」や「社有車マスタ」など、前述のデータベース作成管理システムで作成した、複数のデータベースを、図４５に示したとおり、一画面でアクセス制限状況を一覧表示するとともに、アクセス制限の追加・変更などの一元管理をすることができる。
【０１０４】
図４５で、例えば「安否確認台帳」のホルダーを開くと、「安否確認台帳」の内容のデータベースとして「所属：情報システム本部」，「所属：情報システム本部＞システム開発部＞システム開発第3チーム」，「所属：文化部＞写真部」等のリストが「安否確認台帳」の下に表示される。
【０１０５】
尚、各データベースのグループ名称のフォルダを開いてグループ名称に含まれるデータベースの名称をリスト表示させると、グループ名称に含まれるデータベースの各名称の右側に「照会」，「変更」，「追加」，「削除」等の設定変更の項目に対応するチェックボックスが表示される。図４５のグループデータベースの「安否確認台帳」では、「安否確認台帳」の内容のデータベースとして「所属：情報システム本部」，「所属：情報システム本部＞システム開発部＞システム開発第3チーム」，「所属：文化部＞写真部」等のデータベースの名称の右側にチェックボックスｃｈ１ｂ〜ｃｈ４ｂがそれぞれ表示される。
【０１０６】
この場合、「所属：情報システム本部」のチェックボックスｃｈ１ｂにチェックマークが入っているので、「情報システム本部」以下に所属する全てのユーザは「安否確認台帳」を照会（閲覧）できるが、チェックボックスｃｈ２ｂ〜ｃｈ４ｂにはチェックマークが入っていないので、データを追加したり、変更・削除したりすることはできない。
【０１０７】
また、「情報システム本部＞システム開発部＞システム開発第3チーム」では、チェックボックスｃｈ２ｂ〜ｃｈ４ｂにチェックマークが入っているので、「システム開発第3チーム」以下に所属するユーザのみ「安否確認台帳」のデータを追加・変更・削除できる。
【０１０８】
更に、設定されているグループの中で複数のグループに所属している場合は、各権限（照会、変更、追加、削除）毎に論理和でアクセス権限が設定される（照会権限が設定されているグループに１つでも所属していれば、WebDBに対する照会権限がある）。
【０１０９】
尚、図１〜図４５に記載した説明内容は、実施例において説明されていない内容であっても、この発明の実施例の補足説明とする。
（その他）
以上説明した実施例では、インターネットを利用したＷｅｂサーバシステム１にこの発明におけるデータベース作成および入力のためのデータベース作成管理システムを適用した例を示したが、必ずしもインターネットを利用したＷｅｂサーバシステム１にのみこの発明のデータベース作成管理システムが適用されものではない。例えば、イントラネットを利用したサーバシステムに、この発明に係るデータベース作成管理システムを適用することもできる。また、発明に係るデータベース作成管理システムはインターネットやイントラネットを利用したサーバシステム以外にスタンドアローンのコンピュータに利用することもできる。
【０１１０】
以上説明したように、この発明の実施の形態のデータベース作成管理システムは、データベースを作成するデータベース作成ソフトおよび前記データベースが記録された記録手段（顧客領域サーバ１４）と、前記データベース作成ソフトによるデータベース作成画面３９および前記データベースの入力画面を表示させる表示手段（表示装置８，１１）と、前記表示手段（表示装置８，１１）に表示されるデータベース作成画面および前記データベースの入力画面の操作を行う画面操作手段（キーボード４，マウス５，表示装置１１）と、前記データベース作成ソフトによる前記データベース作成画面３９の前記表示手段（表示装置８，１１）への表示制御を行うと共に、前記データベースの入力画面を前記表示手段（表示装置８，１１）に表示させる演算制御手段（顧客領域サーバ１４の図示しない演算制御回路）と、を備えている。そして、前記データベース作成画面３９は、作成されるデータ入力部（ｄＢ１〜ｄＢ７）を表示させる画面作成エリア４０と、前記データ入力部（ｄＢ１〜ｄＢ７）を作成するのに用いる複数のコントロール（４２ａ〜５３）が表示されたコントロール表示エリア（コントロールアイコンバー４２）と、前記データ入力部（ｄＢ１〜ｄＢ７）の複数の入力条件設定部（５６〜７３等その他）を表示させる入力条件設定用表示エリア４３を備えている。しかも、前記演算制御手段（顧客領域サーバ１４の図示しない演算制御回路）は、前記データベース作成ソフトにより動作制御されて、前記コントロール表示エリア（コントロールアイコンバー４２）のコントロール（４２ａ〜５３）を前記画面作成エリア４０に前記画面操作手段（キーボード４，マウス５，表示装置１１）によりドラッグアンドドロップすることにより、前記コントロールによる前記データ入力部（ｄＢ１〜ｄＢ７）を前記画面作成エリア４０に作成すると共に、前記画面作成エリア４０に作成される前記データ入力部（ｄＢ１〜ｄＢ７）の入力条件設定を前記入力条件設定部（５６〜７３等その他）の操作により設定するようになっている。
【０１１１】
この構成によれば、データベースの入力画面のフォームを作成するためのテーブルを作成して、作成したテーブルの設定をした後、この作成したテーブルを利用してデータベースの入力画面のフォームの配置を設定して、このフォームへの追加を行ったりする等の操作をする必要がない。即ち、複数の画面の切り替えを殆ど行うこと無しに一つのデータベース作成画面３９のみでデータベースの入力画面のフォームを簡易に作成できる。従って、データベースの基本的な知識がない場合でも、簡易にデータベースを構築できる。
【０１１２】
また、この発明の実施の形態のデータベース作成管理システムにおいて、前記演算制御手段（キーボード４，マウス５，表示装置１１）はデータベース構築ソフトによるデータ管理ソフトの構築及び構築されたデータ管理ソフトによりデータの管理に用いるサーバシステム（Ｗｅｂサーバシステム１）であり、前記表示手段（表示装置８，１１）は前記サーバシステム（Ｗｅｂサーバシステム１）に通信手段を介して接続された端末(固定端末Ａ，Ｂ，移動端末Ｃ）の表示装置（８，１１）であり、前記画面操作手段は前記端末(固定端末Ａ，Ｂ，移動端末Ｃ）の画面操作手段（キーボード４，マウス５，表示装置１１）である。
【０１１３】
この構成によれば、ユーザーはデータベースのソフトがなくても、データベースを簡易に構築して利用できる。
【０１１４】
更に、この発明の実施の形態のデータベース作成管理システムにおいて、前記通信手段はオンライン(回線２）又はインターネット２ａであり、前記端末はオンライン(回線２）又はインターネット２ａを介して前記サーバシステム（Ｗｅｂサーバシステム１）に接続されている複数の端末(固定端末Ａ，Ｂ，移動端末Ｃ）である。
【０１１５】
この構成によれば、ユーザーはデータベースのソフトがなくてもデータベースを簡易に構築して、複数のユーザーが利用できる。
【０１１６】
また、この発明の実施の形態のデータベース作成管理システムは、データベースを作成するデータベース作成ソフトおよび前記データベースが記録された記録手段（顧客領域サーバ１４）と、前記データベース作成ソフトによるデータベース作成画面３９，前記データベースの入力画面，管理画面を表示させる表示手段（表示装置８，１１）と、前記表示手段（表示装置８，１１）に表示されるデータベース作成画面および前記データベースの入力画面の操作を行う画面操作手段（キーボード４，マウス５，表示装置１１）と、前記データベース作成ソフトによる前記データベース作成画面３９の前記表示手段（表示装置８，１１）への表示制御を行うと共に、前記データベースの入力画面を前記表示手段（表示装置８，１１）に表示させる演算制御手段（顧客領域サーバ１４の図示しない演算制御回路）と、を備えている。しかも、前記演算制御手段（顧客領域サーバ１４の図示しない演算制御回路）は、作成されたデータベースの名称，前記データベースのアクセス権の内容，および前記アクセス権の設定変更部が含まれる複数のリストを前記表示手段の前記管理画面に同時に表示させると共に、前記画面操作手段により前記設定変更部の操作を行うことにより、前記作成された複数のデータベースへの前記アクセス権の設定変更制御を行うようになっている。
【０１１７】
この構成によれば、作成した複数のデータベースのアクセス権を一画面で簡単に管理することができる。
【符号の説明】
【０１１８】
Ａ，Ｂ・・・固定端末
Ｃ・・・移動端末
１・・・Ｗｅｂサーバシステム（サーバシステム）
２・・・回線（オンライン）
２ａ・・・インターネット
４・・・キーボード（画面操作手段）
８・・・表示装置（表示手段）
１１・・・表示装置（表示手段、画面操作手段）
１４・・・顧客領域サーバ（記録手段）
３９・・・データベース作成画面
４０・・・画面作成エリア
４２・・・コントロールアイコンバー（コントロール表示エリア）
４３・・・入力条件設定用表示エリア
【図１】
0005307219.tif 000002
【図２】
0005307219.tif 000003
【図３】
0005307219.tif 000004
【図４】
0005307219.tif 000005
【図５】
0005307219.tif 000006
【図６】
0005307219.tif 000007
【図７】
0005307219.tif 000008
【図８】
0005307219.tif 000009
【図９】
0005307219.tif 000010
【図１０】
0005307219.tif 000011
【図１１】
0005307219.tif 000012
【図１２】
0005307219.tif 000013
【図１３】
0005307219.tif 000014
【図１４】
0005307219.tif 000015
【図１５】
0005307219.tif 000016
【図１６】
0005307219.tif 000017
【図１７】
0005307219.tif 000018
【図１８】
0005307219.tif 000019
【図１９】
0005307219.tif 000020
【図２０】
0005307219.tif 000021
【図２１】
0005307219.tif 000022
【図２２】
0005307219.tif 000023
【図２３】
0005307219.tif 000024
【図２４】
0005307219.tif 000025
【図２５】
0005307219.tif 000026
【図２６】
0005307219.tif 000027
【図２７】
0005307219.tif 000028
【図２８】
0005307219.tif 000029
【図２９】
0005307219.tif 000030
【図３０】
0005307219.tif 000031
【図３１】
0005307219.tif 000032
【図３２】
0005307219.tif 000033
【図３３】
0005307219.tif 000034
【図３４】
0005307219.tif 000035
【図３５】
0005307219.tif 000036
【図３６】
0005307219.tif 000037
【図３７】
0005307219.tif 000038
【図３８】
0005307219.tif 000039
【図３９】
0005307219.tif 000040
【図４０】
0005307219.tif 000041
【図４１】
0005307219.tif 000042
【図４２】
0005307219.tif 000043
【図４３】
0005307219.tif 000044
【図４４】
0005307219.tif 000045
【図４５】
0005307219.tif 000046